(57)【要約】【課題】複雑な構成にすることなく、被写界輝度測光と撮影のためのストロボ光測光を一つの受光手段にて正確に行う。【解決手段】被写界輝度測光用とストロボ光測光用に用いられる蓄積型の受光手段１３０と、ストロボ光の一部を被写界に照射せずに受光手段に導くストロボ光導光手段１３４と、ストロボ導光手段と受光手段との間に配置され、ストロボ光導光手段を介する受光手段へのストロボ光を遮光しない状態と、ストロボ光導光手段を介する受光手段への外光を遮光する状態を切り換える外光遮光手段１３１とを有する。【選択図】図２
2008032872.tif 000002
【特許請求の範囲】
【請求項１】
被写界輝度測光用とストロボ光測光用に用いられる蓄積型の受光手段と、
前記ストロボ光の一部を被写界に照射せずに前記受光手段に導くストロボ光導光手段と、
前記ストロボ導光手段と前記受光手段との間に配置され、前記ストロボ光導光手段を介する前記受光手段へのストロボ光を遮光しない状態と、前記ストロボ光導光手段を介する前記受光手段への外光を遮光する状態を切り換える外光遮光手段とを有することを特徴とする測光装置。
【請求項２】
前記外光遮光手段は、撮影のための前記ストロボ発光の測光時には、前記ストロボ光導光手段を介する前記受光手段へのストロボ光を遮光しない状態となり、前記被写体輝度の測光時には、前記ストロボ光導光手段を介する前記受光手段への外光を遮光する状態となることを特徴とする請求項１に記載の測光装置。
【請求項３】
前記外光遮断手段は、前記ストロボ光導光手段を介する前記受光手段への外光を機械的に遮光する手段であることを特徴とする請求項１または２に記載の測光装置。
【請求項４】
前記外光遮断手段は、前記ストロボ光導光手段を介する前記受光手段への外光を電気的に遮光する手段であることを特徴とする請求項１または２に記載の測光装置。
【請求項５】
カメラに内蔵されるストロボ発光手段と、
被写界輝度測光用とストロボ光測光用に用いられる蓄積型の受光手段と、
前記ストロボ光の一部を被写界に照射せずに前記受光手段に導くストロボ光導光手段と、
前記ストロボ導光手段と前記受光手段との間に配置され、前記ストロボ光導光手段を介する前記受光手段へのストロボ光を遮光しない状態と、前記ストロボ光導光手段を介する前記受光手段への外光を遮光する状態を切り換える外光遮光手段とを有することを特徴とするカメラ。
【請求項６】
前記外光遮光手段は、撮影のための前記ストロボ発光の測光時には、前記ストロボ光導光手段を介する前記受光手段へのストロボ光を遮光しない状態となり、前記被写体輝度の測光時には、前記ストロボ光導光手段を介する前記受光手段への外光を遮光する状態となることを特徴とする請求項５に記載のカメラ。
【請求項７】
撮影光路内に位置している際は、撮影光束の一部を前記受光手段に導き、撮影時には、撮影光路から退避するミラー部材を有し、
前記外光遮光手段は、前記ミラー部材が撮影光路から退避する動作に連動して、前記ストロボ光導光手段を介する前記受光手段への外光を遮光する状態となることを特徴とする請求項５または６に記載のカメラ。
【請求項８】
前記ストロボ発光手段はポップアップ式のものであり、
前記外光遮光手段は、前記ストロボ発光手段のポップアップ動作に連動して、前記ストロボ光導光手段を介する前記受光手段への外光を遮光する状態となることを特徴とする請求項５または６に記載のカメラ。
【請求項９】
前記外光遮断手段は、電気的に、入射する光を遮光する状態と遮光しない状態に切り換えられることを特徴とする請求項５または６に記載のカメラ。
【発明の詳細な説明】
【技術分野】
【０００１】
本発明は、被写界輝度測光用とストロボ光測光用に用いられる受光手段を有する測光装置およびカメラに関するものである。
【背景技術】
【０００２】
ストロボ光を本撮影に先立って予備発光させ、被写体からの反射光を測光した出力値と、ストロボの非発光時、つまり定常光での出力値を比較する測光装置が提案（特許文献１）されている。この提案では、この比較値を基に、本撮影時のストロボ発光量を決定する。さらに、上記予備発光ストロボ光の被写体による反射光測光とストロボ非発光時の定常光測光を同一の測光センサを用いて行っている。このようすることで、カメラのスペース効率のアップと低コスト化を図っている。
【０００３】
また、ストロボ発光量を制御するためのストロボ光の測光と、ストロボ予備発光時の被写体反射光及びストロボ非発光時の定常光の測光を各々独立させた光センサを最適に配置する。このようにすることで、カメラのスペース効率のアップを図るようにした提案（特許文献２）もなされている。この提案にて開示された一眼レフタイプのカメラの概要を図７に示す。
【０００４】
図７に示すように、ストロボ発光パネル１３２ｃには光ファイバー１３４が取り付けられている。ストロボ本発光がなされると、ストロボ光の一部は、ストロボ発光パネル１３２ｃから光ファイバー１３４を介して光ファイバー１３４の出口から出てくる。そして、このストロボ光が専用の光センサ１３７（１３７ａは視感度フィルタ）で受光、モニターされる。そして、適正な受光量（ストロボ発光量）に達した時点で、上記ストロボ発光が停止される構成になっている。なお、被写界輝度の測光は測光センサ１３０（１３０ａは視感度フィルタ）で行われる。その他の各部材は後述の図1と同様であり、図１の説明時に行う。
【特許文献１】特開平０６−２５０２５２号公報
【特許文献２】特開２００２−１２２９０５号公報
【発明の開示】
【発明が解決しようとする課題】
【０００５】
撮影レンズを介して被写界光を反射ミラーで反射し、ピント板に１次結像させる。ここで形成された被写界像をさらに結像レンズを介して測光センサに２次結像させる。そして、この測光センサの出力を評価する測光方式を、ＴＴＬ測光方式という。従来の一眼レフタイプのカメラにおいては、上記ＴＴＬ測光方式をとっているものが多くを占めている。このＴＴＬ測光方式により、被写界輝度を正確に測光することを可能にしている。
【０００６】
ところが、上記のＴＴＬ測光方式においては、撮影時には上記反射ミラーが上昇し、撮影レンズを介した被写界光は、撮像素子（もしくはフィルム）上に結像され、ピント板上には被写界光は来なくなる。つまり、撮影中はファインダ像（ピント板像）が撮影者には見えなくなり、かつ、被写界輝度の測光も不能となる。これは、カメラが撮影のためのストロボ光を発光したとしても、ストロボ光発光以前に上記のように反射ミラーが上昇するからである。そのため、ピント板を睨んでいる測光センサ１３０では、上記ストロボ光の発光量を測ることができない。これに対して、図７に示される構成をとれば、問題は解決される。
【０００７】
一方、光ファイバーを備えた構成とし、本撮影時のストロボ光の測光とストロボ非発光時の定常光の測光を同一の測光センサにより行う場合を考える。撮影レンズを通じて測光センサに結像される被写界像から輝度を検出するとする。すると、外光がストロボ発光パネルから光ファイバーを通じて測光センサに入射し、本来測定したい撮影レンズを通じて入射してきた被写界像の輝度を正確に検出できなくなることになる。つまり、単純に、本撮影時のストロボ光の測光とストロボ非発光時の定常光の測光を同一の測光センサで行うことは困難であった。
【０００８】
（発明の目的）
本発明の目的は、複雑な構成にすることなく、被写界輝度測光とストロボ光測光を一つの受光手段にて正確に行うことのできる測光装置およびカメラを提供しようとするものである。
【課題を解決するための手段】
【０００９】
上記目的を達成するために、本発明は、被写界輝度測光用とストロボ光測光用に用いられる蓄積型の受光手段と、前記ストロボ光の一部を被写界に照射せずに前記受光手段に導くストロボ光導光手段と、前記ストロボ導光手段と前記受光手段との間に配置され、前記ストロボ光導光手段を介する前記受光手段へのストロボ光を遮光しない状態と、前記ストロボ光導光手段を介する前記受光手段への外光を遮光する状態を切り換える外光遮光手段とを有する測光装置とするものである。
【００１０】
同じく上記目的を達成するために、本発明は、カメラに内蔵されるストロボ発光手段と、被写界輝度測光用とストロボ光測光用に用いられる蓄積型の受光手段と、前記ストロボ光の一部を被写界に照射せずに前記受光手段に導くストロボ光導光手段と、前記ストロボ導光手段と前記受光手段との間に配置され、前記ストロボ光導光手段を介する前記受光手段へのストロボ光を遮光しない状態と、前記ストロボ光導光手段を介する前記受光手段への外光を遮光する状態を切り換える外光遮光手段とを有するカメラとするものである。
【発明の効果】
【００１１】
本発明によれば、複雑な構成にすることなく、被写界輝度の測光と撮影のためのストロボ光の測光を一つの受光手段にて正確に行うことができる測光装置またはカメラを提供できるものである。
【発明を実施するための最良の形態】
【００１２】
本発明を実施するための最良の形態は、以下の実施例１ないし３に示す通りである。
【実施例１】
【００１３】
図１は本発明の実施例１に係るデジタル一眼レフカメラの概略を示す構成図である。図１において、１０１はＣＰＵ（中央演算処理装置）であり、カメラの動作はこのＣＰＵ１０１により制御される。１０５は撮影レンズであり、被写界光を撮像素子であるＣＣＤ１０６上に結像させる。１０２は開閉動作のタイミングを調節することで撮影レンズ１０５からＣＣＤ１０６に到達する被写界の光量を制御するシャッタである。
【００１４】
上記被写界光の一部は、半透過主ミラー１２１、サブミラー１２２によって、後述の公知の位相差方式焦点検出ユニットに導かれる。この焦点検出ユニットでは、撮影レンズ１０５で結像された被写界光のピントがＣＣＤ１０６の受光面に対してどの方向に、どれ位ずれているか、を検出する。つまり、いわゆるデフォーカス量を検出する。ここで、上記位相差方式焦点検出ユニットは、フィールドレンズ１２３、２次結像レンズ１２４、焦点検出用のラインセンサ（ＣＣＤ）１１９により構成される。この位相差方式焦点検出ユニットは、ファインダ画面上の特定領域の焦点検出が可能となっている。
【００１５】
ＣＰＵ１０１は、上記デフォーカス量に対して、撮影レンズ１０５のレンズ駆動敏感度（レンズ固有の制御の細かさ）を考慮し、撮影レンズ駆動制御部１２５に撮影レンズ１０５の駆動量パルスを送る。撮影レンズ駆動制御部１２５は送られてきた駆動パルスに応じてパルスモータを駆動し、撮影レンズ１０５を合焦位置に駆動させる。これにより、自動焦点調節が行われる。
【００１６】
１２８はＣＣＤ１０６の結像面と等価の結像面に置かれたピント板である。このピント板１２８に結像した被写界像は、ペンタプリズム１２７、接眼レンズ１２６を通じて使用者の眼に供される。つまり、ＴＴＬ方式の光学ファインダ構成となっている。
【００１７】
１３０は被写界の可視光の輝度を測定する受光手段として用いられる測光センサである。上記被写界の可視光は、結像レンズ１２９にてピント板１２８の被写界像を視感度フィルタ１３０ａを通じて該測光センサ１３０上に結像される。この測光センサ１３０は、縦×横、各々３×５に分割された受光領域を有している。そして、カメラのファインダ視野（被写界領域）の主要領域を３×５の領域に分割して、人間の視感度に合わせた波長にて測光できる。
【００１８】
１３２は本カメラに内蔵された小型ストロボである。このストロボ１３２は、キセノン管１３２ａ、反射傘１３２ｂ、効率良く前面にストロボ光を射出させるためのストロボの発光パネル１３２ｃから構成されている。ストロボ１３２は、通常カメラの内部に閉じられている（ポップダウン状態）。そして、ストロボ発光時には、ヒンジ部１３２ｄを中心としてカメラから突出し（ポップアップ状態）、被写体にストロボ発光パネル１３２ｃを対向させた状態でストロボ発光がなされる。上記測光センサ１３０は、後述するように、ストロボ１３２からのストロボ光を測光する受光手段としても用いられる。
【００１９】
ここで、ストロボ１３２からのストロボ光を測光センサ１３０が受光するに至るまでの構造を詳細に説明する。
【００２０】
図１において、ストロボ発光パネル１３２ｃは、その外周部においてストロボ光導光手段である光ファイバー１３４に接続されている。光ファイバー１３４はストロボ光を測光センサ１３０（実際には視感度フィルタ１３０ａの前面）に導いている。ここで、測光センサ１３０は蓄積型センサであり、その機能によりストロボ発光量をモニターすることが可能である。ＣＰＵ１０１は、上記ストロボ発光量が適正な値に達した時点で、後述する図３のストロボ回路１０９に対してストップ信号を送り、ストロボ発光を停止させる。
【００２１】
つまり、被写界輝度を測光する測光センサと、撮影のためのストロボ光（ストロボ本発光）の測光を行う測光センサは、同一の蓄積型の測光センサ１３０が用いられている。
【００２２】
しかしながら、既に述べたように、単純に同一の測光センサ１３０を使用するだけでは、以下のような問題を生じる。撮影レンズ１０５を通じて測光センサ１３０に結像される被写界像から輝度を検出するとする。この際、被写界外光が上記透明材料よりなるストロボ発光パネル１３２ｃから光ファイバー１３４を通じて測光センサ１３０に入射することになる。すると、本来測定したい撮影レンズ１０５を通じて入射してきた被写界像の輝度を正確に検出できなくなることになる。したがって、外光を遮光する外光遮光手段が必要になってくる。
【００２３】
ここで、図２を用いて、本実施例１に係る外光遮光手段について説明する。図２は、カメラがストロボ１３２の発光を伴った撮影（露光）状態にある図である。
【００２４】
図２において、主ミラー１２１はアップ状態（撮影光路から退避した状態）にある。撮影動作に伴うストロボ１３２の発光によるストロボ光の一部は、ストロボ発光パネル１３２ｃから光ファイバー１３４を介して測光センサ１３０に入射する。光ファイバー１３４はその途中において所定のギャップを空けて分断されている。このように分断されたことによる光エネルギーのロスを最小限にするために、光ファイバー１３４の切断面両側に集光レンズ１３５ａ，１３５ｂを配置している。ここで、１３１は主ミラー１２１を保持する主ミラー受板１２１ａのヒンジ軸上に設けられた、外光遮光手段であるところのＬ字状のレバーである。このＬ字状のレバー１３１は、主ミラー１２１のアップ、ダウンに伴う回転動作に連動して、矢印Ａで示すように回転することができる。Ｌ字状レバー１３１の先端部１３１ａは上記光ファイバー１３４の切断面両端に配置された集光レンズ１３５ａ，１３５ｂのギャップ部に進入（図２の破線状態）することができる。
【００２５】
つまり、被写体輝度を測光するカメラの撮影待機状態（図１の状態）では、Ｌ字状レバー１３１の先端部１３１ａがストロボ発光パネル１３２ｃから光ファイバー１３４を介して測光センサ１３０に入射する不要な外光成分を遮光する状態まで回転（図２の破線状態）する。
【００２６】
以上のように、撮影のためのストロボ発光時や撮影動作時以外には、光ファイバー１３４を介する不要な外光成分をＬ字状レバー１３１という機械的シャッタである外光遮光手段にて遮光する。そして、測光センサ１３０に上記不要な外光成分が入射しないようにしている。つまり、被写界輝度の測光の際は、ストロボ発光パネル１３２ｃから入射してくる不要な外光成分はＬ字状レバー１３１によって遮光している。よって、純粋にストロボ光以外の通常光下での被写界輝度を測光センサ１３０にて正確に測定することが可能となる。一方、撮影のためのストロボ発光（本発光）時には、外光遮光手段は光ファイバー１３４からのストロボ光を遮光しない状態となる。よって、光ファイバー１３４からのストロボ光を測光センサ１３０にて正確に測定することが可能となる。したがって、撮影のためのストロボ発光を測光センサ１３０にて正確に測光することができるし、撮影レンズ１０５から入射する被写界光を同一の測光センサ１３０にて正確に測光することが可能となる。
【００２７】
図３は、上記構成のカメラの回路構成を示すブロック図である。図３において、１０１はＣＰＵ（中央演算処理装置）である。ＣＰＵ１０１には、制御プログラムを記憶しているＲＯＭ１０３ａ、ＲＡＭ１０３ｂ、データ格納部１０４、画像処理部１０８が接続されている。さらには、ＬＣＤ制御部１１１、レリーズスイッチ（ＳＷ）１１４、電源を供給するためのＤＣ／ＤＣコンバータ１１７も接続されている。
【００２８】
画像処理部１０８にはＣＣＤ制御部１０７が接続され、ＣＣＤ制御部１０７にはＣＣＤ１０６が接続されている。ＣＣＤ１０６は有効画素数約５００万画素（２５６０×１９２０）を有している。ＬＣＤ制御部１１１には表示駆動部１１２が接続され、表示駆動部１１２には表示部１１３が接続されている。表示部１１３は、ＣＣＤ１０６で撮像された画像を縦横各々１／８に間引き処理された３２０×２４０画素の画像を表示することのできるＴＦＴカラー液晶である。ＤＣ／ＤＣコンバータ１１７には電池１１６から電源が供給されている。
【００２９】
ＣＰＵ１０１はＲＯＭ１０３ａ内の制御プログラムに基づいて各種制御を行う。これらの制御の中には、画像処理部１０８から出力された撮影画像信号を読み込み、ＲＡＭ１０３ｂへＤＭＡ転送を行う処理が含まれる。同様にＲＡＭ１０３ｂよりＬＣＤ制御部１１１へデータをＤＭＡ転送する処理が含まれる。また、画像データをＪＰＥＧ圧縮し、ファイル形式でデータ格納部１０４へ格納する処理も含まれる。
【００３０】
ＣＰＵ１０１は、さらに、ＣＣＤ１０６、ＣＣＤ制御部１０７、画像処理部１０８、ＬＣＤ制御部１１１などに対して、データ取り込み画素数やデジタル画像処理の変更指示を行う。
【００３１】
１１９は焦点検出用の一対のラインセンサであり、焦点検出制御部１２０はこれらラインセンサ１１９から得た電圧をＡ／Ｄ変換し、ＣＰＵ１０１に送る。また、焦点検出制御部１２０は、ＣＰＵ１０１の指示のもとにラインセンサ１１９の蓄積時間とＡＧＣ（オートゲインコントロール）の制御も行う。
【００３２】
ＣＰＵ１０１は、焦点検出制御部１２０から送られてきた信号を処理することで、主要被写体に対する現在の焦点検出状態から主要被写体が合焦に至るためのレンズ駆動量を算出する。そして、撮影レンズ駆動部１２５に対し指示を与える。撮影レンズ駆動部１２５はこの指示に基づいて撮影レンズ１０５の中の焦点調節レンズを移動させることで主被写体にピントを合わせることが可能となる。
【００３３】
１３０は測光センサであり、上記のように被写界の輝度を測光してＣＰＵ１０１に信号を送る。ＣＰＵ１０１はこの輝度情報に基づいてカメラの露光量を算出し、シャッタ秒時、撮影レンズ１０５の絞り値のいずれか、あるいは両方を決定する。また、測光センサ１３０は、ストロボ発光時には、上記のようにストロボ発光部１３３での発光量を測光し、ＣＰＵ１０１に信号を送る。ＣＰＵ１０１はストロボ発光量が露光に最適な値に達すると、ストロボ回路１０９にストップ信号を送り、ストロボ発光部１３３の発光を停止させる。また、ＣＰＵ１０１の制御の基に、レリーズスイッチ１１４の操作に伴う撮影動作の指示、各素子への電源の供給をコントロールするための制御信号をＤＣ／ＤＣコンバータ１１７に対する処理等も行われる。
【００３４】
ＲＯＭ１０３ａは上記のように制御プログラムをメモリしている。ＲＡＭ１０３ｂは、画像展開エリア１０３ｂ１、ワークエリア１０３ｂ２、ＶＲＡＭ１０３ｂ３、一時退避エリア１０３ｂ４を備えている。画像展開エリア１０３ｂ１は、画像処理部１０８より送られてきた撮影画像（ＹＵＶデジタル信号）やデータ格納部１０４から読み出されたＪＰＥＧ圧縮画像データを一時的に格納するためのテンポラリバッファとして使用される。さらには、画像圧縮処理、解凍処理のための画像専用ワークエリアとしても使用される。ワークエリア１０３ｂ２は、各種プログラムのためのワークエリアである。ＶＲＡＭ１０３ｂ３は、表示部１１３へ表示する表示データを格納するＶＲＡＭとして使用される。また、一時退避エリア１０３ｂ４は、各種データを一時退避させるためのエリアである。データ格納部１０４は、ＣＰＵ１０１によりＪＰＥＧ圧縮された撮影画像データ、あるいはアプリケーションより参照される各種付属データ等をファイル形式で格納しておくための不揮発性メモリである。
【００３５】
撮影レンズ１０５は、被写界像を光学的にＣＣＤ１０６へ投影するために複数枚のレンズで構成されており、ＣＣＤ（光電変換素子）１０６は撮影レンズ１０５によって投影された撮影画像をアナログ電気信号に変換するための素子である。ＣＣＤ制御部１０７は、ＣＣＤ１０６に転送クロック信号やシャッタ信号を供給するためのタイミングジェネレータを含む。さらには、ＣＣＤ出力信号のノイズ除去、ゲイン処理を行うための回路、アナログ信号を１０ビットデジタル信号に変換するためのＡ／Ｄ変換回路等も含んでいる。
【００３６】
画像処理部１０８は、ＣＣＤ制御部１０７より出力された１０ビットデジタル信号をガンマ変換、色空間変換する。また、ホワイトバランス、ＡＥ、フラッシュ補正等の画像処理を行い、ＹＵＶ（４：２：２）フォーマットの８ビットデジタル信号出力を行う。
【００３７】
上記の撮影レンズ１０５、ＣＣＤ１０６、ＣＣＤ制御部１０７、画像処理部１０８から撮像手段が構成されている。
【００３８】
ＬＣＤ制御部１１１は、画像処理部１０８から転送されたＹＵＶデジタル画像データ、あるいはデータ格納部１０４内の画像ファイルに対してＪＰＥＧの解凍を行ったＹＵＶデジタル画像データを受け取る。そして、ＲＧＢデジタル信号へ変換した後、表示駆動部１１２へ出力する処理を行う。表示駆動部１１２は、表示部１１３を駆動するための制御を行う。
【００３９】
上記のＬＣＤ制御部１１１、表示駆動部１１２、表示部１１３から表示手段が構成されている。
【００４０】
レリーズスイッチ１１４は、撮影準備動作、撮影動作の開始を指示するためのスイッチである。このレリーズスイッチ１１４は使用者の押下によって２段階のスイッチポジションを有しており、１段目のポジション（スイッチＳＷ１のＯＮ）の検出で、ホワイトバランス、ＡＥ等のカメラ設定のロック動作が行われる。２段目のポジション（スイッチＳＷ２のＯＮ）の検出では、被写界画像信号の取り込み動作が行われる。
【００４１】
電池１１６は、リチャージャブルの２次電池あるいは乾電池である。ＤＣ／ＤＣコンバータ１１７は、電池１１６からの電源供給を受け、昇圧、レギュレーションを行うことにより複数の電源を作り出す。そして、ＣＰＵ１０１を初めとする各素子に必要な電圧の電源を供給している。このＤＣ／ＤＣコンバータ１１７は、ＣＰＵ１０１からの制御信号により、各々の電圧の供給開始、停止を制御できるようになっている。
【００４２】
次に、上記構成のカメラのストロボ発光が行われての一連の撮影動作について、図４のフローチャートを用いて説明を行う。
【００４３】
図４において、まずカメラを不作動状態から不図示の電源スイッチをＯＮにすると、カメラの電源がＯＮされ（ステップ＃２００）、ＣＰＵ１０１は、レリーズスイッチ１１４の１段階ポジションまでの押下によりスイッチＳＷ１がＯＮされるまで待機する（ステップ＃２０１）。スイッチＳＷ１がＯＮされたことを検知すると、測光センサ１３０より撮影被写界を３×５に分割した被写界輝度情報を得た（測光1の動作）後、メモリに記憶を行う（ステップ＃２０２）。この際、Ｌ字状レバー１３１の先端部１３１ａは光ファイバー１３４の切断面両端に配置された集光レンズ１３５ａ，１３５ｂのギャップ部に進入した状態（図２の破線状態）となっている。
【００４４】
次に、ストロボ１３２は被写界に対して一定量（例えばフル発光の１／１０のエネルギで）の発光（予備発光）を行う（ステップ＃２０３）。そして、被写界の対象物に照射されたストロボ光の反射光を再び測光センサ１３０にて測光（測光２の動作）する（ステップ＃２０４）。測光１及び２においては、光ファイバー１３４を通る光束はＬ字状レバー１３１の先端部１３１ａによって遮光されているので、ストロボ非発光時及びストロボ予備発光時の被写界輝度情報が正確に測光される。その後、上記ステップ２０２で記憶されたストロボ非発光時の被写界輝度情報と今回のストロボ予備発光時の被写界輝度情報の差分をとり、実際にストロボ光で照明された被写体の真の明るさを算出する。そして、これに基づいて主被写体を適正に照明する最適なストロボ１３２の発光量を決定する。また、ステップ＃２０２の測光で得られた被写界輝度情報に基づいて所定の測光アルゴリズム演算に従ってカメラの露出値である撮影レンズの絞り値とシャッタ秒時をカメラに内蔵されたプログラムより決定する。測光センサ１３０から得られる各々３×５の輝度情報から最適露出値算出を行うアルゴリズムは、単純な加算平均でも良いし、上記ステップ＃２０４で決定された焦点検出領域に対応した測光領域に最大の重み付けを行った演算であっても良い。
【００４５】
ここで、カメラの焦点検出領域選択モードが、手動モードに設定されている（不図示の焦点検出領域選択スイッチをＯＮさせる）とする。この場合は、撮影者が不図示のスイッチダイヤル操作で複数の焦点検出領域のうちの１個を選択する任意選択が可能である。一方、焦点検出領域自動モードに設定されていたとする。この場合は、上記位相差方式焦点検出ユニットの複数の焦点検出領域におけるデフォーカス量を基に、焦点検出領域自動選択サブルーチンによって複数の焦点検出領域内の１個を選択する。焦点検出領域自動選択のアルゴリズムとしてはいくつかの方法が考えられる。しかし、多点ＡＦカメラでは公知となっている中央焦点検出領域に重み付けを置いた近点優先アルゴリズムが有効である。
【００４６】
以上のように焦点検出領域選択モードが、手動モード、あるいは自動モードに設定されていても結果的に一つの焦点検出領域が決定される。そして、ここで得られた焦点検出ずれ量（デフォーカス量）とカメラに装着された撮影レンズ１０５のレンズ駆動敏感度から最終的に求めるべきレンズ繰り出し量が決定される（ステップ＃２０５）。次に、レンズ駆動を行う前の状態でラインセンサ１１９の信号に従ってＣＰＵ１０１が撮影レンズ駆動制御部１２５に信号を送る。これにより、所定量撮影レンズ１０５を駆動させることができる（ステップ＃２０６）。
【００４７】
その後は、スイッチＳＷ１の状態を調べ、ＯＦＦであった場合は、スイッチＳＷ１のＯＮの待ちの待機状態に戻る（ステップ＃２０１）。また、スイッチＳＷ１をＯＮし続けられていても（ステップ＃２０７）、レリーズスイッチ１１４の２段階ポジションまでの押下が行われず、スイッチＳＷ２がＯＦＦであるとする（ステップ＃２０８）。この場合は、再びステップ＃２０７に戻り、スイッチＳＷ１をＯＮし続けられている限り、スイッチＳＷ２のＯＮ待ちの待機状態となる。
【００４８】
一方、撮影者が合焦表示された状態のファインダ視野を見て、引き続きスイッチＳＷ１をＯＮし続けられ（ステップ＃２０７）、さらにレリーズスイッチ１１４の２段階ポジションまでの押下が行われてスイッチＳＷ２がＯＮされたとする（ステップ＃２０８）。これにより、主ミラー１２１はアップ状態（撮影光路から退避した状態）になる。また、これに連動して、Ｌ字状レバー１３１の先端部１３１ａは光ファイバー１３４の切断面両端に配置された集光レンズ１３５ａ，１３５ｂのギャップ部から退避した状態となる。この場合、ＣＰＵ１００は不図示のシャッタ制御部、絞り駆動部、ＣＣＤ制御部１０７にそれぞれ信号を送信して、公知の撮影動作を行う（ステップ＃２０９）。
【００４９】
ここで、撮影動作は、まず不図示のモータ制御部を介してモータに通電して主ミラー１２１をアップさせ、撮影レンズ１０５の絞りを絞り込む。その後、シャッタ１０２のマグネットＭＧ−１に通電し、シャッタ１０２の先幕を開放することでＣＣＤ１０６への被写界光の蓄積が開始される。所定のシャッタ秒時経過後、マグネットＭＧ−２に通電がなされ、シャッタ１０２の後幕が閉じることでＣＣＤ１０６への被写界光の蓄積が終了する。
【００５０】
上記一連のカメラ撮影動作中に、ストロボ１３２では、シャッタ１０２の先幕走行完信号をトリガにしてシャッタ後幕の走行開始までの間にストロボ回路１０９を通じて発光がなされる（ステップ＃２１０）。ここでの発光量はストロボ予備発光に伴う測光２（ステップ＃２０２）による計算で求められたものである。この際、ストロボ発光パネル１３２ｃから光ファイバー１３４を通じて測光センサ１３０に入射するストロボ光量をＣＰＵ１０１がモニターしている（ステップ＃２１１）。そして、ストロボ光がステップ＃２０４で算出された発光量に達した時点でＣＰＵ１０１がストロボ回路１０９にストップ信号を出してストロボ１３２の発光を停止させる（ステップ＃２１２）。
【００５１】
上記動作により、ＣＣＤ１０６にはストロボ光を伴った被写界像からの光量が蓄積されることになる。
【００５２】
次に、モータに再度通電がなされ、ミラーダウン、シャッタチャージを行い、一連の撮影動作）が終了する（ステップ＃２１３）。
【００５３】
以上のステップ＃２０９から＃２１３までの撮影動作によって、ＣＣＤ１０６に露光された被写界像は光電変換がなされ、画像処理部１０８にて約５００万画素（２５６０×１９２０）のデジタルデータに変換される。その後、ＲＡＭ１０３ｂへ一時的に格納される。そして、格納された２５６０×１９２０画素の全体画像デジタルデータが、表示部１１３に表示するために縦横各々１／８に間引き処理された３２０×２４０画素の全体画像データに変換される。そして、表示用のＶＲＡＭ１０３ｂ３に再格納され、３２０×２４０画素の全体画像データが表示部１１３に表示される。これにより、撮影者は撮影された画像の全体像を確認することができる（ステップ＃２１４）。
【００５４】
また、ＲＡＭ１０３ｂに格納された２５６０×１９２０画素の全体画像デジタルデータは、ＪＰＥＧ圧縮処理された後、画像データとしてデータ格納部１０４によってコンパクトフラッシュ（登録商標）等の記録媒体に記録される（ステップ＃２１５）。次に、カメラは再び撮影者が何らかの操作部材による入力待ちの状態となり（ステップ＃２１６）、その間全体画像を表示し続ける。入力がなされると、表示部１１３の全体画像表示を消灯し、入力に対応した状態に遷移する。
【実施例２】
【００５５】
図５は本発明の実施例２に係るデジタル一眼レフカメラの主要部分を示す構成図であり、図２と同じ部分は同一符号を付している。カメラのその他の構成（図１、図３、図４）等は実施例１と同様であるので、その説明は省略する。
【００５６】
図５において、１３８は、上記実施例１におけるＬ字状レバー１３１（図２参照）に相当する、外光遮光手段であるところのＬ字レバーである。このＬ字レバー１３８は、ストロボ１３２全体をカメラ本体よりポップアップ、ポップダウンさせる回転中心であるヒンジ部１３２ｄ（図１も参照）の延長上に取り付けられている。
【００５７】
Ｌ字レバー１３８はストロボ１３２のポップアップ、ポップダウンに伴うヒンジ部１３２ｄの回転にしたがって、図２の説明と同様に、その先端部１３８ａが光ファイバー１３４の切断面両側に配置された集光レンズ１３５ａ，１３５ｂの間を進退する。これにより、ストロボ発光パネル１３２ｃからのストロボ光を透過し、外界からの不要外光を遮光することが可能である。
【００５８】
つまり、Ｌ字レバー１３８の動きにより、ストロボ１３２がポップアップしている時、つまり撮影のためのストロボ光の測光時は、ストロボ光を測光センサ１３０に導くことができる。そして、ポップダウンしている時は、ストロボ発光パネル１３２ｃからの外界からの不要外光を遮断することができる。
【００５９】
本来、ストロボ１３２がポップダウンしている際は、カメラ外装部でストロボ発光パネル１３２ｃが完全に遮光されていれば敢えて外光遮光手段を具備する必要性はない。しかし、実際には外装の隙間からの外光入射光が問題になるために、上記の外光遮光手段が必要となる。
【００６０】
以上の実施例２においては、カメラの撮影待機状態時（被写体輝度の測光時）には、光ファイバー１３４を介する不要な外光成分をＬ字状レバー１３８という機械的シャッタである外光遮光手段にて遮光する。そして、測光センサ１３０に上記不要な外光成分が入射しないようにしている。つまり、この際はストロボ発光パネル１３２ｃから入射してくる不要な外光成分をＬ字状レバー１３１によって遮光している。よって、純粋にストロボ光以外の通常光下での被写界輝度、測光センサ１３０にて正確に測定することが可能となる。一方、撮影のためのストロボ発光時には、外光遮光手段は光ファイバー１３４からのストロボ光を遮光しない状態となる。よって、光ファイバー１３４からのストロボ光を測光センサ１３０にて正確に測定することが可能となる。したがって、撮影のためのストロボ発光を測光センサ１３０にて正確に測光することができるし、撮影レンズ１０５から入射する被写界光を同一の測光センサ１３０にて正確に測光することが可能となる。
【実施例３】
【００６１】
図６は本発明の実施例３に係るデジタル一眼レフカメラの主要部分を示す構成図であり、図２，図５と同じ部分は同一符号を付している。カメラのその他の構成（図１、図３、図４）等は実施例１と同様であるので、その説明は省略する。
【００６２】
本実施例３における外光遮光手段は、上記Ｌ字状レバー１３１，１３８のような機械的な可動部による手段とは異なる。この実施例３では、ストロボ光を測光センサ１３０（実際には視感度フィルタ１３０ａの前面）へ導く光ファイバー１３４の出口に、液晶装置１３６を配置している。
【００６３】
液晶装置１３６は、カメラの撮影待機状態には遮光状態、撮影のためのストロボ発光時もしくは撮影動作中は透過状態になるよう制御がなされることで液晶シャッタとなる。これにより、ストロボ発光パネル１３２ｃからの光を透過、遮光の制御を可能とする外光遮光手段とすることができる。
【００６４】
ここで、図１において、使用者がレリーズスイッチ１１４（図３参照）を２段階ポジションまで押下すると、主ミラー１２１は撮影レンズ１０５の光路外に退避する。そして、撮影レンズ１０５によって集光された被写界光がシャッタ１０２で光量制御され、ＣＣＤ１０６によって被写界像として光電変換処理表示される。その後、画像データとしてフラッシュメモリ等の記録媒体に記録される一方、撮影済み画像として表示部１１３に表示される。ここで、１１３はＴＦＴカラー液晶からなる外部表示部である。
【００６５】
以上の実施例３においては、カメラの撮影待機状態時（被写体輝度の測光時）には、光ファイバー１３４を介する不要な外光成分を液晶装置１３６という電気的なシャッタである外光遮光手段にて遮光する。そして、測光センサ１３０に上記不要な外光成分が入射しないようにしている。つまり、この際はストロボ発光パネル１３２ｃから入射してくる不要な外光成分を液晶装置１３６によって遮光している。よって、純粋にストロボ光以外の通常光下での被写界輝度を測光センサ１３０にて正確に測定することが可能となる。一方、撮影のためのストロボ発光時には、外光遮光手段は光ファイバー１３４からのストロボ光を遮光しない状態となる。よって、光ファイバー１３４からのストロボ光を測光センサ１３０にて正確に測定することが可能となる。したがって、撮影のためのストロボ発光を測光センサ１３０にて正確に測光することができるし、撮影レンズ１０５から入射する被写界光を同一の測光センサ１３０にて正確に測光することが可能となる。
【００６６】
上記の各実施例よれば、一眼レフタイプのカメラにおいて、被写界輝度測光用とストロボ光測光用のセンサを一つの受光手段である測光センサ１３０を用いている。よって、カメラの省スペース化、および、コスト削減に貢献するものとなる。つまり、上記の実施例１ないし３によれば、複雑な構成にすることなく、被写界輝度測光とストロボ光測光を一つの受光手段にて正確に行うことができるカメラを提供可能となる。
【図面の簡単な説明】
【００６７】
【図１】本発明の実施例１に係るデジタル一眼レフカメラの概略を示す構成図である。
【図２】図１のデジタル一眼レフカメラの主要部分を示す構成図である。
【図３】図１のデジタル一眼レフカメラの電気的構成を示すブロック図である。
【図４】図１のデジタル一眼レフカメラの撮影動作を示すフローチャートである。
【図５】本発明の実施例２に係るデジタル一眼レフカメラの主要部分を示す構成図である。
【図６】本発明の実施例３に係るデジタル一眼レフカメラの主要部分を示す構成図である。
【図７】従来のデジタルカメラの概略を示す構成図である。
【符号の説明】
【００６８】
１０１      ＣＰＵ
１０５      撮影レンズ
１０６      ＣＣＤ
１２１      主ミラー
１３０      測光センサ
１３１      Ｌ字状レバー
１３２      ストロボ
１３３ｄ    ヒンジ部
１３４      光ファイバー
１３６      液晶装置
１３８      Ｌ字状レバー
【図１】
2008032872.tif 000003
【図２】
2008032872.tif 000004
【図３】
2008032872.tif 000005
【図４】
2008032872.tif 000006
【図５】
2008032872.tif 000007
【図６】
2008032872.tif 000008
【図７】
2008032872.tif 000009